(57)【要約】【課題】本発明は、従来にない作用効果を発揮する画期的な手動圧着工具を提供することを目的とする。【解決手段】一対の半体１，２同士を枢着し、この枢着部３より基端側に握持部４、先端側にダイス部10を設けた挟持部５を有し、前記握持部４の閉じ操作により前記挟持部５を閉じ動させて前記ダイス部10で圧着端子30と電気配線材31とを圧着接続するための手動圧着工具であって、前記握持部４を開き方向に付勢する開き付勢部11を有し、また、前記握持部４は該握持部４の閉じ状態を保持するラチェット機構６を有するものである。【選択図】図１
2014018888.tif 000002
【特許請求の範囲】
【請求項１】
一対の半体同士を枢着し、この枢着部より基端側に握持部、先端側にダイス部を設けた挟持部を有し、前記握持部の閉じ操作により前記挟持部を閉じ動させて前記ダイス部で圧着端子と電気配線材とを圧着接続するための手動圧着工具であって、前記握持部を開き方向に付勢する開き付勢部を有し、また、前記握持部は該握持部の閉じ状態を保持するラチェット機構を有し、このラチェット機構は、前記握持部を閉じ方向に回動させた際、一方の半体に設けたラチェット爪が他方の半体に設けた複数のラチェット歯を並設して成るラチェット歯体に係止する構成であり、前記ラチェット歯体のラチェット歯は、前記ラチェット爪が最初に係止する一番目のラチェット歯から所定番目のラチェット歯までは、該ラチェット歯同士間のピッチが、それ以外のラチェット歯同士間のピッチよりも短いピッチに設定されていることを特徴とする手動圧着工具。
【請求項２】
請求項１記載の手動圧着工具において、前記ラチェット歯体のラチェット歯は、前記ラチェット爪が最初に係止する一番目のラチェット歯から所定番目のラチェット歯までは、該ラチェット歯同士間のピッチが、それ以外のラチェット歯同士間のピッチの半分のピッチに設定されていることを特徴とする手動圧着工具。
【請求項３】
請求項１，２いずれか１項に記載の手動圧着工具において、前記ラチェット歯体を複数枚積層し、この複数枚のラチェット歯体夫々の前記ラチェット歯同士の積層位置をずれさせることで、前記一番目のラチェット歯から所定番目のラチェット歯までの該ラチェット歯同士間のピッチを、それ以外のラチェット歯同士間のピッチより短いピッチ若しくは半分のピッチに設定したことを特徴とする手動圧着工具。
【請求項４】
請求項１〜３いずれか１項に記載の手動圧着工具において、前記ダイス部は、前記一対の半体のうち、いずれか一方若しくは双方の先端内縁部に設けられ所定径の前記圧着端子を被嵌支持する被嵌凹部と、いずれか他方若しくは双方の先端内縁部に設けられ前記被嵌凹部で支持された前記圧着端子を径方向に圧縮する圧縮凸部とで構成され、径の異なる複数のダイス部が工具先端から基端側にかけて順次径が大きくなる順で設けられていることを特徴とする手動圧着工具。
【発明の詳細な説明】
【技術分野】
【０００１】
本発明は、圧着端子と電気配線材とを圧着接続するための手動圧着工具に関するものである。
【背景技術】
【０００２】
従来から、例えば実公昭３５−２３１９６号に開示される圧着端子と電気配線材とを圧着接続するための手動圧着工具（以下、従来例）が種々提案されている。
【０００３】
この従来例は、一対の半体同士を交叉枢着し、この枢着部より基端側に握持部、先端側にダイス部を設けた挟持部を有するものであり、このダイス部は、一方の半体の先端内縁部に設けられ圧着端子を被嵌支持する被嵌凹部と、他方の半体の先端内縁部に設けられ被嵌凹部で支持された圧着端子を径方向に圧縮する圧縮凸部とで構成され、径の異なる複数のダイス部が工具先端から基端側にかけて順次径が大きくなる順で設けられている構成である。
【０００４】
また、従来例は、挟持部の先端部には半体夫々の先端内縁同士が当接することで挟持部の閉じ動を規制する閉じ動規制部が設けられており、この閉じ動規制部により挟持部の閉じ動が規制されるまで、ダイス部の被嵌凹部で支持された圧着端子を圧縮凸部で押し潰すことになる。これは、圧着端子の径やダイス部（被嵌凹部の径や圧縮凸部の突出度合い）がＪＩＳ規格に合わせて製造されており、電気配線材に対して圧着端子が所定の圧縮度合い以上で圧着された時点で挟持部の閉じ方向への回動が規制されるようにして、良好な圧着接続が行われるようにするためである（圧着端子を圧縮し過ぎても例えば通電障害の原因になる。）。
【０００５】
更に、従来例は、握持部に該握持部の閉じ状態を保持するラチェット機構（このラチェット機構は握持部を所定量閉じ動させてから作用する）が設けられており、このラチェット機構は、握持部を閉じ操作した際、一方の半体に設けたラチェット爪が他方の半体に設けた複数のラチェット歯を並設して成るラチェット歯体に係止する構成であり、このラチェット機構を具備することで、握持部を閉じ操作した際、挟持部が閉じ動規制部により閉じ動を規制される位置よりも更に握持部を閉じ操作してラチェット機構を解除しない限り、挟持部を開き状態に戻すことができず、よって、閉じ動規制部で挟持部の閉じ動が規制される前に、不完全な圧着状態のまま作業が終了してしまうことが防止できる（このラチェット機構により確実に圧着端子が電気配線材に対して所定の圧着力で圧着されることが保証される。）。
【０００６】
また、握持部には、ラチェット機構が作用するまでの間において、該握持部が自重などにより不意に閉じ動してラチェット機構が作用することを防止するため、更に、前記閉じ動規制部により閉じ動が規制され、更に、握持部を閉じ操作してラチェット機構を解除した後、握持部を初期位置に戻すため、該握持部を開き方向に付勢する開き付勢部（発条）が設けられている。従って、この開き付勢部により使い勝手も飛躍的に向上する。
【０００７】
ここで、前述した従来例を用いて実際に圧着端子と電気配線材とを圧着接続する場合について説明する。
【０００８】
まず片方の手で持った圧着端子を該圧着端子の径に合ったダイス部の被嵌凹部で支持した状態とし、もう片方の手で開き付勢部の付勢に抗しながら握持部を握って閉じ操作し、挟持部で圧着端子を落ちない程度に挟持状態とし、続いて、この挟持部で挟持した圧着端子を電気配線材に被嵌し、続いて、更に握持部を挟持部が閉じ動規制部で閉じ動が規制されるまで閉じ操作して圧着端子を圧縮凸部で径方向に圧縮すると、圧縮凸部が圧着端子に食い込んで該圧着端子の孔内が突出変形して電気配線材に対して圧着状態となり、圧着端子は電気配線材に対して抜け止め状態で圧着接続される。
【先行技術文献】
【特許文献】
【０００９】
【特許文献１】実公昭３５−２３１９６号公報
【発明の概要】
【発明が解決しようとする課題】
【００１０】
ところで、前述した圧着端子と電気配線材との圧着接続作業の際に行われる、挟持部で挟持した圧着端子を電気配線材に被嵌させる場面においては、ラチェット機構を利用して握持部から手を放しても圧着端子に対する挟持部の挟持状態が維持される、所謂仮止め状態を現出させたいという要求がある（この仮止め状態があれば、圧着端子に電気配線材を挿入し易い。）。径が大きい圧着端子ほど握持部の開き度合いが大きくて片手での操作が厄介なため仮止めしたい要求が強い。
【００１１】
従って、従来例でこの仮止め状態を得ようとした場合、ラチェット機構におけるラチェット爪を一番目のラチェット歯に係止させるまで挟持部を閉じ動させた際、図１２に図示したように圧縮端子30に対して圧縮凸部50が大きく食い込んでしまうことが生じ、この場合、圧着端子30の孔30ａが潰れて狭くなり、電気配線材を通すことができなくなってしまうという問題がある。
【００１２】
この点、圧着端子に対して圧縮凸部が僅かに食い込んだ時点でラチェット爪が一番目のラチェット歯に係止するよう、ラチェット爪の位置やラチェット歯体の位置などを設計すればこのような問題は解消されるが、この場合、高度な組み立て精度が要求されてしまい、量産は不可能であり現実的ではない。
【００１３】
本発明者は、前述した問題点に着目し、種々の実験・研究を繰り返し行った結果、従来にない画期的な手動圧着工具を開発した。
【課題を解決するための手段】
【００１４】
添付図面を参照して本発明の要旨を説明する。
【００１５】
一対の半体１，２同士を枢着し、この枢着部３より基端側に握持部４、先端側にダイス部10を設けた挟持部５を有し、前記握持部４の閉じ操作により前記挟持部５を閉じ動させて前記ダイス部10で圧着端子30と電気配線材31とを圧着接続するための手動圧着工具であって、前記握持部４を開き方向に付勢する開き付勢部11を有し、また、前記握持部４は該握持部４の閉じ状態を保持するラチェット機構６を有し、このラチェット機構６は、前記握持部４を閉じ方向に回動させた際、一方の半体１に設けたラチェット爪７が他方の半体２に設けた複数のラチェット歯８を並設して成るラチェット歯体９に係止する構成であり、前記ラチェット歯体９のラチェット歯８は、前記ラチェット爪７が最初に係止する一番目のラチェット歯８から所定番目のラチェット歯８までは、該ラチェット歯８同士間のピッチＰ１が、それ以外のラチェット歯８同士間のピッチＰ２よりも短いピッチに設定されていることを特徴とする手動圧着工具に係るものである。
【００１６】
また、請求項１記載の手動圧着工具において、前記ラチェット歯体９のラチェット歯８は、前記ラチェット爪７が最初に係止する一番目のラチェット歯８から所定番目のラチェット歯８までは、該ラチェット歯８同士間のピッチＰ１が、それ以外のラチェット歯８同士間のピッチＰ２の半分のピッチに設定されていることを特徴とする手動圧着工具に係るものである。
【００１７】
また、請求項１，２いずれか１項に記載の手動圧着工具において、前記ラチェット歯体９を複数枚積層し、この複数枚のラチェット歯体９夫々の前記ラチェット歯８同士の積層位置をずれさせることで、前記一番目のラチェット歯８から所定番目のラチェット歯８までの該ラチェット歯８同士間のピッチＰ１を、それ以外のラチェット歯８同士間のピッチＰ２より短いピッチ若しくは半分のピッチに設定したことを特徴とする手動圧着工具に係るものである。
【００１８】
また、請求項１〜３いずれか１項に記載の手動圧着工具において、前記ダイス部10は、前記一対の半体１，２のうち、いずれか一方若しくは双方の先端内縁部に設けられ所定径の前記圧着端子30を被嵌支持する被嵌凹部10ａと、いずれか他方若しくは双方の先端内縁部に設けられ前記被嵌凹部10ａで支持された前記圧着端子30を径方向に圧縮する圧縮凸部10ｂとで構成され、径の異なる複数のダイス部10が工具先端から基端側にかけて順次径が大きくなる順で設けられていることを特徴とする手動圧着工具に係るものである。
【発明の効果】
【００１９】
本発明は上述のように構成したから、圧着端子に対する挟持部の良好な仮止め状態が確実に得られて極めて作業性が良く、しかも、この仮止め状態を得るための構造を簡易に製造することができて量産性に秀れるなど、従来にない作用効果を発揮する画期的な手動圧着工具となる。
【図面の簡単な説明】
【００２０】
【図１】本実施例の要部を示す正面図である。
【図２】本実施例の要部を示す分解斜視図である。
【図３】本実施例の要部の説明図である。
【図４】本実施例の動作説明図である。
【図５】本実施例の要部の動作説明図である。
【図６】図４の部分拡大説明図である。
【図７】本実施例の使用状態説明図である。
【図８】本実施例の動作説明図である。
【図９】本実施例の要部の動作説明図である。
【図１０】図８の部分拡大説明図である。
【図１１】本実施例の動作説明図である。
【図１２】従来例を使用した場合の要部の動作説明図である。
【発明を実施するための形態】
【００２１】
好適と考える本発明の実施形態を、図面に基づいて本発明の作用を示して簡単に説明する。
【００２２】
本発明を用いて圧着端子30と電気配線材31とを圧着接続する場合、例えば片方の手で持った圧着端子30を挟持部５のダイス部10で支持した状態として、もう片方の手で握持部４を閉じ操作してラチェット機構６におけるラチェット爪７をラチェット歯８に係止させ挟持部５の開き動を阻止し、圧着端子30に対してダイス部10が僅かに食い込んだ仮止め状態を現出させる。続いて、この挟持部５で仮止め状態で挟持された圧着端子30を電気配線材31に被嵌し、続いて、更に挟持部５を閉じ動させて圧着端子30をダイス部10で径方向に圧縮させると、ダイス部10が圧着端子30に大きく食い込んで該圧着端子30の孔内が突出変形して電気配線材31に対して圧着状態となり、圧着端子30は電気配線材31に対して抜け止め状態で圧着接続される。
【００２３】
ところで、本発明は、ラチェット歯体９のラチェット歯８は、ラチェット爪７が最初に係止する一番目のラチェット歯８から所定番目のラチェット歯８までは該ラチェット歯８同士間のピッチＰ１が、それ以外のラチェット歯８同士間のピッチＰ２よりも短いピッチに設定されており、この構成から、特に仮止め状態が得たいと要求される径大な圧着端子30に対する仮止め状態が簡易且つ確実に得られることになる。
【００２４】
即ち、径大な圧着端子30を仮止め状態とする場合、ラチェット歯体９の先端部に位置するラチェット歯８にラチェット爪７を係止させることになるが、本発明は、前述したようにラチェット爪７が最初に係止する一番目のラチェット歯８から所定番目のラチェット歯８までは該ラチェット歯８同士間のピッチＰ１が、それ以外のラチェット歯８同士間のピッチＰ２よりも短いピッチに設定されているから、この短いピッチＰ１でラチェット歯８が並設される間の部位において、握持部４を閉じ操作して圧着端子30に対してダイス部10を食い込ませ過ぎず良好な仮止め状態が得られることになる。
【００２５】
つまり、本発明は、ラチェット歯体９の少なくとも先端部のラチェット歯８同士間のピッチを細かいピッチＰ１とすることで、高精度な組み立てを要求されずに確実に径大な圧着端子30に対する仮止め状態が得られる構造となる。
【００２６】
また、本発明は、全てのラチェット歯８同士間のピッチを前述した短いピッチＰ１にするのではなく、前述した部位（径大な圧着端子30に対して仮止めを行う部位）以外の部位は通常のピッチＰ２としており、当該部位のラチェット歯８の強度が確保される。
【００２７】
即ち、握持部４を閉じるほど開き付勢部11の付勢力が強くなり、この開き付勢部11の付勢を伴ってラチェット爪７が係止するラチェット歯８の負荷が増えることになるが、この負荷が増える部位においてもラチェット歯８同士間のピッチを短くすると該ラチェット歯８に対してラチェット爪７が係止する面積が小さくなる為、当該ラチェット歯８が破損し易いなど耐久性の問題が生じてしまう。
【００２８】
この点、本発明はこのラチェット歯８の負荷が増える部位は通常のピッチＰ２、つまり、ラチェット歯８に対するラチェット爪７が係止する面積が大きいため、それだけ耐久性が確保された構造となる。
【実施例】
【００２９】
本発明の具体的な実施例について図面に基づいて説明する。
【００３０】
本実施例は、一対の半体１，２同士を枢着し、この枢着部３より基端側に握持部４、先端側にダイス部10を設けた挟持部５を有し、握持部４の閉じ操作により挟持部５を閉じ動させてダイス部10で圧着端子30と電気配線材31とを圧着接続するためのものである。尚、圧着端子30は図７に図示したように銅線31ａに樹脂製絶縁体31ｂが被覆された電気配線材31の端部に接続するタイプのものや、左右端部に電気配線材31に被嵌する筒状の被嵌部を設けて当該電気配線材31同士を接続するタイプのものなどがある。
【００３１】
具体的には、図１，２に図示したように適宜な金属製長尺体から成る一対の半体１，２を設け、この半体１，２夫々の先端寄りの部位を軸部材12を介して重合枢着し、この枢着部３よりも基端側の夫々の棒状部位に樹脂製のグリップ13ａ，13ｂを被覆した握持部４を設け、一方、枢着部３よりも先端側の夫々の内縁にダイス部10を備えた挟持部５を設けている。尚、一対の棒状の半体１，２同士を交叉させた状態で重合枢着した構成としても良い。
【００３２】
この各半体１，２は、握持棒状部材１Ａ，２Ａと、該握持棒状部材１Ａ，２Ａの先端部に軸部材14を介して枢着される挟持部材１Ｂ，２Ｂとで構成され、前述したように軸部材12を介して重合枢着するとともに、更に、半体１，２夫々の挟持部材１Ｂ，２Ｂの表面同士間には架設部材15が架設され、この架設部材15は軸部材16を介して各挟持部材１Ｂ，２Ｂ夫々に枢着されてリンク機構を成しており、よって、梃子の原理を使った倍力機構として構成されている。
【００３３】
ダイス部10は、一対の半体１，２のうちいずれか一方若しくは双方の先端内縁部に設けられ所定径の圧着端子30に被嵌支持する被嵌凹部10ａと、いずれか他方若しくは双方の先端内縁部に設けられ被嵌凹部10ａで支持された圧着端子30を径方向に圧縮する圧縮凸部10ｂとで構成されている。
【００３４】
具体的には、半体２（挟持部材２Ｂ）の先端内縁部に径の異なる３つＵ字状の被嵌凹部10ａが設けられ、この３つの被嵌凹部10ａの対向位置に３つの圧縮凸部10ｂが半体１（挟持部材１Ｂ）の先端内縁部に設けられ、更に、一方の半体２（挟持部材２Ｂ）の先端内縁部に設けられた３つの被嵌凹部10ａ同士の間には２つの圧縮凸部10ｂが設けられ、この２つの圧縮凸部10ｂの対向位置に径の異なる２つの被嵌凹部10ａが他方の半体１（挟持部材１Ｂ）の先端内縁部に設けられている。
【００３５】
従って、径の異なる複数（５つ）のダイス部10が工具先端から基端側にかけて順次径が大きくなる順で設けられている。
【００３６】
尚、半体１，２のいずれか一方の半体に被嵌凹部10ａのみを設け、他方に圧縮凸部10ｂのみを設けるようにしても良い。
【００３７】
また、挟持部５の先端部には、半体１，２（挟持部材１Ｂ，２Ｂ）夫々の先端内縁同士が当接することで挟持部５の閉じ動を規制する閉じ動規制部17が設けられている。
【００３８】
この閉じ動規制部17により挟持部５の閉じ動が規制されるまで、ダイス部10の被嵌凹部10ａで支持された圧着端子30を圧縮凸部10ｂで押し潰すことになる。
【００３９】
これは、圧着端子30の径やダイス部10（被嵌凹部10ａの径や圧縮凸部10ｂの突出度合い）がＪＩＳ規格に合わせて製造されており、電気配線材31に対して圧着端子30が所定の圧縮度合い以上で圧着された時点で挟持部５の閉じ方向への回動が規制されるようにして、良好な圧着接続が行われるようにするためである（圧着端子30を圧縮し過ぎても例えば通電障害の原因になるなど良くない。）。
【００４０】
握持部４には、該握持部４を常時開き方向に付勢する開き付勢部11が設けられている。
【００４１】
この開き付勢部11は、金属製の線材の途中を巻回して左右に連結端11ａを有し途中に巻回部11ｂを有する全体視へ字状の屈曲自在なバネ（トーションバネ）で構成され、この左右の連結端11ａが互いに離れようとする拡角付勢が生じるように該連結端11ａを半体１，２夫々に連結している。
【００４２】
また、握持部４には該握持部４の閉じ状態を保持するラチェット機構６が設けられている。
【００４３】
具体的には、このラチェット機構６は、握持部４を閉じ方向に回動させた際、一方の半体１に設けたラチェット爪７が係止する複数のラチェット歯８を並設して成るラチェット歯体９を他方の半体２に設けた構成である。
【００４４】
ラチェット爪７は、図１，２に図示したように半体１を構成する握持棒状部材１Ａの先端内側部に回動軸部材７ａを介して枢着されており、このラチェット爪７は付勢部材７ｂを介して一方向（後述するラチェット歯８に係止する方向）に回動付勢されている。
【００４５】
また、このラチェット爪７は、半体１，２同士を重合枢着した際、後述するラチェット歯体９の対向位置に配され、このラチェット歯体９のラチェット歯８に係止するように構成されている。
【００４６】
従って、ラチェット爪７は、握持部４を閉じ操作した際、所定の閉じ時点からラチェット歯体９のラチェット歯８をカチカチと一つずつ乗り越えながら移動し、この際、握持部４を握持する力を弱めたところでラチェット爪７がラチェット歯８に係止して握持部４の閉じ状態が保持され、最後まで閉じ操作した際には、付勢部材７ｂの付勢によりラチェット爪７の方向が変わり、開き付勢部11の付勢により握持部５が開く際には、ラチェット爪７はラチェット歯８をカチカチと一つずつ乗り越えながら移動するが、係止しない状態で開き状態まで戻る。握持部４の開閉に伴い、ラチェット爪７におけるラチェット歯８に対して係止する方向が一方向となるようにラチェット歯８の形状やラチェット爪７の角度などが適宜設定されている。
【００４７】
また、ラチェット爪８に対して回動軸部材７ａは回り止め状態に設けられており、この回動軸部材７ａの頭部７ａ'を回動させてラチェット爪７を回動させることによっても、ラチェット歯８に対する係止を解除することができる。
【００４８】
ラチェット歯体９は、図１，２に図示したように半体２を構成する握持棒状部材２Ａの先端内側に一対の扇形状体を前後対向位置に間隔を介して積層状態に設け、この各ラチェット歯体９の端縁には、先鋭山形状（ギザギザ形状）のラチェット歯８が握持部４の閉じ方向に並設されている。
【００４９】
また、ラチェット歯体９は、その先端部にしてラチェット爪７が最初に係止する一番目のラチェット歯８から所定番目（３つ）のラチェット歯８までは該ラチェット歯８同士間（一つ目のラチェット歯８と二つ目のラチェット歯８同士間及び二つ目のラチェット歯８と三つ目のラチェット歯８同士間）のピッチＰ１が、それ以外のラチェット歯８同士間（四つ目のラチェット歯８以降のラチェット歯８同士間）のピッチＰ２よりも短いピッチに設定されており、本実施例では、この短いピッチＰ１が長いピッチＰ２（ラチェット歯８の耐久性等を考慮された通常のピッチ）の半分のピッチに設定されている。
【００５０】
本実施例は、この短いピッチＰ１を実現するための構成として、この一対のラチェット歯体９夫々のラチェット歯８同士の積層位置をずれさせることで、一番目のラチェット歯８から所定番目のラチェット歯８までの該ラチェット歯８同士間のピッチＰ１を、それ以外のラチェット歯８同士間のピッチＰ２より短い半分のピッチに設定している。
【００５１】
具体的には、一対のラチェット歯体９のうち、一方のラチェット歯体９のラチェット歯８同士間のピッチは全て前述した長いピッチ２に設定されている（図３中（ａ）参照）。
【００５２】
また、他方のラチェット歯体９は、ラチェット歯体９を並設して積層状態とした際に先端から一つ目のラチェット歯８が一方のラチェット歯体９の一つ目のラチェット歯８と二つ目のラチェット歯８との中間に位置する形状に設けられ、また、二つ目以降のラチェット歯８は他方のラチェット歯体９の三つ目のラチェット歯８と合致する形状及びピッチ２に設定されている。
【００５３】
尚、一つのラチェット歯体９において先端部のピッチを短くする構成としても良いが、製造上困難であることから、本実施例は前述した構成としている。
【００５４】
以上の構成から成る本実施例に係る手動圧着工具を用いて圧着端子30と電気配線材31とを圧着接続する場合について説明する。尚、本実施例で説明する圧着端子30は、最も径大なダイス部10で支持して圧縮し得る径大な圧着端子30である。
【００５５】
例えば片方の手で持った圧着端子30を挟持部５のダイス部10（最も径大な被嵌凹部10ｂ）で支持した状態として、もう片方の手で握持部４を閉じ操作してラチェット機構６におけるラチェット爪７をラチェット歯８に係止させて挟持部５の開き動を阻止し、圧着端子30に対してダイス部10が僅かに食い込んだ仮止め状態を現出させる。続いて、この挟持部５で仮止め状態で挟持された圧着端子30を電気配線材31に被嵌し、続いて、更に挟持部５を閉じ動させて圧着端子30をダイス部10で径方向に圧縮させると、ダイス部10が圧着端子30に大きく食い込んで該圧着端子30の孔内が突出変形して電気配線材31に対して圧着状態となり（図１１参照）、圧着端子30は電気配線材31に対して抜け止め状態で圧着接続される。
【００５６】
ところで、径大な圧着端子30を仮止め状態とする場合、ラチェット歯体９の先端部に位置するラチェット歯８にラチェット爪７を係止させることになるが、本実施例は、前述したようにラチェット爪７が最初に係止する一番目のラチェット歯８から所定番目のラチェット歯８までは該ラチェット歯８同士間のピッチＰ１が、それ以外のラチェット歯８同士間のピッチＰ２よりも短いピッチに設定されているから、この短いピッチＰ１でラチェット歯８が並設される間の部位において、握持部４を閉じ操作して圧着端子30に対してダイス部10を食い込ませ過ぎず良好な仮止め状態が得られることになる。
【００５７】
しかも、本実施例は、ラチェット歯体９の端部にしてラチェット爪７が最初に係止する先端（一つ目）のラチェット歯８にラチェット爪７が係止した際、圧着端子30に対するダイス部10の食い込みが良好に行われず仮止め状態が得られなかったとしても（図４，５，６参照）、更にもう少しだけ挟持部４を閉じ操作させると短いピッチＰ１で直ちに次（二つ目）のラチェット歯８にラチェット爪７が係止することになり、この際、圧着端子30に対してダイス部10が僅かに食い込んだ状態となり、良好な仮止め状態が得られることになる。
【００５８】
つまり、本発明は、ラチェット歯体９の少なくとも先端部のラチェット歯８同士間のピッチを細かいピッチＰ１とすることで、高精度な組み立てを要求されずに確実に径大な圧着端子30に対する仮止め状態が得られる構造となる。
【００５９】
本実施例は上述のように構成したから、ラチェット歯体９の少なくとも先端部のラチェット歯８同士間のピッチを細かいピッチＰ１とすることで、高精度な組み立てを要求されずに確実に径大な圧着端子30に対する仮止め状態が得られる構造となり、しかも、径大の圧着端子30はかなり広がった状態の握持部４を握持して行うことになり大きな力がいる作業であるが、この仮止め状態が可及的に少ない量の挟持部４の閉じ操作で行えることになる為、作業者の負担が少なく作業が良好に行えることになる。
【００６０】
また、本実施例は、全てのラチェット歯８同士間のピッチを前述した短いピッチＰ１にするのではなく、前述した部位（径大な圧着端子30に対して仮止めを行う部位）以外の部位は通常のピッチＰ２としており、つまり、ラチェット歯８に対するラチェット爪７が係止する面積が大きいため、それだけ耐久性が確保された構造となる。
【００６１】
また、本実施例は、ラチェット歯体９の先端のラチェット歯８から所定番目の基端側に位置するラチェット歯８までの部位におけるラチェット歯８同士間のピッチＰ１が、それ以外の部位におけるラチェット歯８同士間のピッチＰ２の半分のピッチに設定されているから、安定した作動が得られることになる。
【００６２】
また、本実施例は、ラチェット歯体９は、ラチェット歯８を前記握持部４の閉じ方向に並設して成る複数のラチェット歯列９'を該閉じ方向と直交する方向に並設した構成であり、このラチェット歯列９夫々の先端部におけるラチェット歯８同士は、互いに側方から見た際に前後にずれた位置関係に設定されているから、一列のラチェット歯列９'で前述した構成（短いピッチＰ１と長いピッチＰ２の双方を具備した構成）を実現しようとすると、製造時に短いピッチ部分のラチェット歯８が破損してしまう場合が懸念されるが、前述した構成を具備することでこの問題は解消される。
【００６３】
また、本実施例は、ダイス部10は、一対の半体１，２のうちいずれか一方若しくは双方の先端内縁部に設けられ所定径の圧着端子30を被嵌支持する被嵌凹部10ａと、いずれか他方若しくは双方の先端内縁部に設けられ被嵌凹部10ａで支持された圧着端子30を径方向に圧縮する圧縮凸部10ｂとで構成され、径の異なる複数のダイス部10が工具先端から基端側にかけて順次径が大きくなるように並設された構成であるから、種々の径の圧着端子30ａを確実且つ良好に圧縮させて電気配線材31に圧着接続させることができることになる。
【００６４】
尚、本発明は、本実施例に限られるものではなく、各構成要件の具体的構成は適宜設計し得るものである。
【符号の説明】
【００６５】
Ｐ１  ピッチ
Ｐ２  ピッチ
１  半体
２  半体
３  枢着部
４  握持部
５  挟持部
６  ラチェット機構
７  ラチェット爪
８  ラチェット歯
９  ラチェット歯体
10  ダイス部
10ａ  被嵌凹部
10ｂ  圧縮凸部
11  開き付勢部
30  圧着端子
31  電気配線材
【図１】
2014018888.tif 000003
【図２】
2014018888.tif 000004
【図３】
2014018888.tif 000005
【図４】
2014018888.tif 000006
【図５】
2014018888.tif 000007
【図６】
2014018888.tif 000008
【図７】
2014018888.tif 000009
【図８】
2014018888.tif 000010
【図９】
2014018888.tif 000011
【図１０】
2014018888.tif 000012
【図１１】
2014018888.tif 000013
【図１２】
2014018888.tif 000014